【手続補正書】
【提出日】平成18年12月8日(2006.12.8)
【手続補正１】
【補正対象書類名】明細書
【補正対象項目名】特許請求の範囲
【補正方法】変更
【補正の内容】
【特許請求の範囲】
【請求項１】  レイアウト情報に基づき文書データを出力装置に出力するときの文書出力範囲のサイズを決定する範囲サイズ決定手段と、前記文書出力範囲のサイズと前記文書データに含まれるオブジェクトのサイズとの関係を示すサイズ情報を記憶する情報記憶手段と、前記範囲サイズ決定手段で決定されたサイズと、前記情報記憶手段に記憶されたサイズ情報に基づき、オブジェクトのサイズを決定するオブジェクトサイズ決定手段と、前記オブジェクトサイズ決定手段により決定したサイズに基づき、前記オブジェクトを変倍する変倍手段と、前記変倍手段で変倍されたオブジェクトを出力装置に出力する制御手段と、を有することを特徴とする情報処理装置。
【請求項２】  前記文書データには、複数のオブジェクトが含まれ、前記複数のオブジェクトのそれぞれのオブジェクトが、前記サイズ情報を持つことを特徴とする請求項１記載の情報処理装置。
【請求項３】  前記文書データには、属性の異なる複数のオブジェクトが含まれ、前記複数のオブジェクトのそれぞれのオブジェクトが、前記サイズ情報を持つことを特徴とする請求項１記載の情報処理装置。
【請求項４】  前記サイズ情報が関数情報であることを特徴とする請求項１記載の情報処理装置。
【請求項５】  文書データを出力装置に出力する場合のレイアウト情報を記憶するレイアウト情報記憶手段と、前記文書データに含まれるオブジェクトを表示画面に表示する表示制御手段と、前記表示されたオブジェクトに対して、前記レイアウト情報に基づき文書データを出力装置に出力するときの文書出力範囲のサイズと前記オブジェクトのサイズとの関係を示すサイズ情報を対応付ける対応付手段と、を有することを特徴とする情報処理装置。
【請求項６】  前記文書データには、複数のオブジェクトが含まれ、前記複数のオブジェクトのそれぞれのオブジェクトに対して、前記サイズ情報が対応付けられることを特徴とする請求項５記載の情報処理装置。
【請求項７】  前記文書データには、属性の異なる複数のオブジェクトが含まれ、前記複数のオブジェクトのそれぞれのオブジェクトに対して、前記サイズ情報が対応付けられることを特徴とする請求項５記載の情報処理装置。
【請求項８】  前記サイズ情報が関数情報であることを特徴とする請求項５記載の情報処理装置。
【請求項９】  前記関数情報を、グラフとして表示手段に表示するグラフ表示手段を更に有し、前記対応付手段は、前記グラフ表示手段により表示されたグラフで表される関数情報を、前記オブジェクトに対応付けることを特徴とする請求項８記載の情報処理装置。
【請求項１０】  前記表示されたグラフを修正する修正手段を更に有することを特徴とする請求項９記載の情報処理装置。
【請求項１１】  前記サイズ情報に基づき、前記文書データに含まれるオブジェクトを出力する出力手段を更に有することを特徴とする請求項５記載の情報処理装置。
【請求項１２】  レイアウト情報に基づき文書データを出力装置に出力するときの文書出力範囲のサイズを決定する範囲サイズ決定工程と、情報記憶手段に記憶された前記文書出力範囲のサイズと前記文書データに含まれるオブジェクトのサイズとの関係を示すサイズ情報と、前記範囲サイズ決定工程で決定されたサイズと、前記情報記憶手段に記憶されたサイズ情報とに基づき、オブジェクトのサイズを決定するオブジェクトサイズ決定工程と、前記オブジェクトサイズ決定工程により決定したサイズに基づき、前記オブジェクトを変倍する変倍工程と、前記変倍されたオブジェクトを出力装置に出力する出力工程と、を有することを特徴とする情報処理方法。
【請求項１３】  前記文書データには、複数のオブジェクトが含まれ、前記複数のオブジェクトのそれぞれのオブジェクトが、前記サイズ情報を持つことを特徴とする請求項１２記載の情報処理方法。
【請求項１４】  前記文書データには、属性の異なる複数のオブジェクトが含まれ、前記複数のオブジェクトのそれぞれのオブジェクトが、前記サイズ情報を持つことを特徴とする請求項１２記載の情報処理方法。
【請求項１５】  前記サイズ情報が関数情報であることを特徴とする請求項１２記載の情報処理方法。
【請求項１６】  文書データを出力装置に出力する場合のレイアウト情報をレイアウト記憶手段に記憶する記憶工程と、前記文書データに含まれるオブジェクトを表示画面に表示する表示工程と、前記表示されたオブジェクトに対して、前記レイアウト情報に基づき文書データを出力装置に出力するときの文書出力範囲のサイズと前記オブジェクトのサイズとの関係を示すサイズ情報を対応付ける対応付工程と、を有することを特徴とする情報処理方法。
【請求項１７】  前記文書データには、複数のオブジェクトが含まれ、前記複数のオブジェクトのそれぞれのオブジェクトに対して、前記サイズ情報が対応付けられることを特徴とする請求項１６記載の情報処理方法。
【請求項１８】  前記文書データには、属性の異なる複数のオブジェクトが含まれ、前記複数のオブジェクトのそれぞれのオブジェクトに対して、前記サイズ情報が対応付けられることを特徴とする請求項１６記載の情報処理方法。
【請求項１９】  前記サイズ情報が関数情報であることを特徴とする請求項１６記載の情報処理方法。
【請求項２０】  前記関数情報を、グラフとして表示手段に表示するグラフ表示工程を更に有し、前記対応付工程は、前記グラフ表示工程により表示されたグラフで表される関数情報を、前記オブジェクトに対応付けることを特徴とする請求項１９記載の情報処理方法。
【請求項２１】  前記表示されたグラフを修正する修正工程を更に有することを特徴とする請求項２０記載の情報処理方法。
【請求項２２】  前記サイズ情報に基づき、前記文書データに含まれるオブジェクトを出力装置に出力する出力工程を更に有することを特徴とする請求項１６記載の情報処理方法。
【請求項２３】  レイアウト情報に基づいて文書データを出力装置に出力するときの文書出力範囲のサイズを決定する範囲サイズ決定工程と、情報記憶手段に記憶された前記文書出力範囲のサイズと前記文書データに含まれるオブジェクトのサイズとの関係を示すサイズ情報と、前記範囲サイズ決定工程で決定されたサイズと、前記情報記憶手段に記憶されたサイズ情報とに基づき、オブジェクトのサイズを決定するオブジェクトサイズ決定工程と、前記オブジェクトサイズ決定工程により決定したサイズに基づき、前記オブジェクトを変倍する変倍工程と、前記変倍されたオブジェクトを出力装置に出力する出力工程と、を有することを特徴とするコンピュータが読み出し可能なプログラムを格納した記憶媒体。
【請求項２４】  文書データを出力装置に出力する場合のレイアウト情報をレイアウト記憶手段に記憶する記憶工程と、前記文書データに含まれるオブジェクトを表示画面に表示する表示工程と、前記表示されたオブジェクトに対して、前記レイアウト情報に基づき文書データを出力装置に出力するときの文書出力範囲のサイズと前記オブジェクトのサイズとの関係を示すサイズ情報を対応付ける対応付工程と、を有することを特徴とするコンピュータが読み出し可能なプログラムを格納した記憶媒体。
【手続補正２】
【補正対象書類名】明細書
【補正対象項目名】００４５
【補正方法】変更
【補正の内容】
【００４５】
本発明に係る第２４の発明は、文書データを出力装置に出力する場合のレイアウト情報をレイアウト記憶手段に記憶する記憶工程と、前記文書データに含まれるオブジェクトを表示画面に表示する表示工程と、前記表示されたオブジェクトに対して、前記レイアウト情報に基づき文書データを出力装置に出力するときの文書出力範囲のサイズと前記オブジェクトのサイズとの関係を示すサイズ情報を対応付ける対応付工程と、を有することを特徴とする
【手続補正３】
【補正対象書類名】明細書
【補正対象項目名】００４６
【補正方法】削除
【補正の内容】
【手続補正４】
【補正対象書類名】明細書
【補正対象項目名】００４７
【補正方法】削除
【補正の内容】
【手続補正５】
【補正対象書類名】明細書
【補正対象項目名】００４８
【補正方法】削除
【補正の内容】
【手続補正６】
【補正対象書類名】明細書
【補正対象項目名】００４９
【補正方法】削除
【補正の内容】
【手続補正７】
【補正対象書類名】明細書
【補正対象項目名】００５０
【補正方法】削除
【補正の内容】
【手続補正８】
【補正対象書類名】明細書
【補正対象項目名】００５１
【補正方法】削除
【補正の内容】
【手続補正９】
【補正対象書類名】明細書
【補正対象項目名】００５２
【補正方法】削除
【補正の内容】
【手続補正１０】
【補正対象書類名】明細書
【補正対象項目名】００５３
【補正方法】削除
【補正の内容】
【手続補正１１】
【補正対象書類名】明細書
【補正対象項目名】００５４
【補正方法】削除
【補正の内容】
【手続補正１２】
【補正対象書類名】明細書
【補正対象項目名】０１２５
【補正方法】変更
【補正の内容】
【０１２５】
【発明の効果】
以上説明したように、本発明によれば、文書データを出力するときに、この文書データの大きさに応じてオブジェクトの大きさを変更して出力することにより、出力範囲がサイズ指定を伴うオブジェクトの扱いを格段に向上させ、各種のオブジェクトをレイアウトに適応して出力させるための操作環境を格段向上できるという効果を奏する。